(57)【要約】【課題】仮想フィールド試験環境の範囲に影響されることなく、一定のデバイスで仮想フィールド試験環境内を移動する無線端末装置を試験することができる仮想フィールド試験環境を実現する無線端末試験装置を提供すること。【解決手段】試験環境制御部１０８が無線端末装置２０と通信することができる範囲の位置情報と無線端末装置２０の位置する地点との関係から、無線端末装置２０が通信することができる基地局を選択して、ベースバンド処理制御部１０７が、選択された基地局のみのベースバンド処理を演算器１０４〜１０６に割り当てる。【選択図】        図１
2005244460.tif 000002
【特許請求の範囲】
【請求項１】
仮想フィールド試験環境内で試験対象となる無線端末装置と通信を行う複数の基地局を模擬する無線端末試験装置において、
予め定められている所定の情報に基づいて前記無線端末装置と通信を行うことができる１〜複数の基地局を選択して、この選択した１〜複数の基地局のセルまたはセクタを模擬することを決定する制御部と、
この制御部によって決定された１〜複数の基地局のベースバンド処理を実行して、前記決定された１〜複数の基地局のセルまたはセクタを模擬するベースバンド処理部と、
を備えることを特徴とする無線端末試験装置。
【請求項２】
前記制御部は、
前記仮想フィールド試験環境内における前記無線端末装置の位置を監視して、現在模擬している基地局の中で前記無線端末装置と通信を行なうことができなくなった基地局を検出した場合には、この検出した基地局のセルまたはセクタの模擬を中止することを決定し、現在模擬している基地局とは異なる基地局が前記無線端末装置と通信を行なうことができることを検出した場合、現在模擬している基地局に加えて新たに検出した基地局のセルまたはセクタを模擬することを決定することを特徴とする請求項１に記載の無線端末試験装置。
【請求項３】
前記制御部は、
前記仮想フィールド試験環境内に複数の無線端末装置が存在する場合には、前記所定の情報に基づいて、前記複数の無線端末装置が通信を行なうことができるすべての基地局を選択して、これら選択したすべての基地局を模擬することを決定することを特徴とする請求項１または２に記載の無線端末試験装置。
【請求項４】
前記所定の情報を、前記無線端末装置と通信することができる範囲の位置情報と前記無線端末装置の位置との関係とすることを特徴とする請求項１〜３の何れか一つに記載の無線端末試験装置。
【請求項５】
前記所定の情報を、前記複数の基地局のセル半径によって規定される通信エリアと前記無線端末装置の位置との関係とすることを特徴とする請求項１〜３の何れか一つに記載の無線端末試験装置。
【請求項６】
前記所定の情報を、前記無線端末装置の試験条件として入力される設定シナリオに含まれる前記無線端末装置の位置と、この位置において前記無線端末装置が通信する基地局との対応情報とすることを特徴とする請求項１〜３の何れか一つに記載の無線端末試験装置。
【請求項７】
前記所定の情報を、前記無線端末装置と前記複数の基地局との無線リンクを制御する無線ネットワーク制御装置によって決定され、前記無線端末装置に制御チャネルによって通知される制御情報とすることを特徴とする請求項１〜３の何れか一つに記載の無線端末試験装置。
【発明の詳細な説明】
【技術分野】
【０００１】
本発明は、無線端末装置を試験する仮想フィールド試験環境を模擬する無線端末試験装置に関するものである。
【背景技術】
【０００２】
従来から、無線端末装置を試験する種々の技術が考えられている。特許文献１には、試験対象となる無線端末装置と通信を行う擬似基地局を、試験環境に必要な数だけ用意することによって無線端末装置の実際の通信状態を模擬して、無線端末装置のハンドオーバに関する機能を試験することができる仮想フィールド試験環境を構築する無線端末試験装置に関する技術が開示されている。具体的には、基地局信号を発生する基地局と、基地局信号の位相をシフトする移相器と、位相器によって位相をシフトされた基地局信号の出力波形の振幅を変える送信利得制御器とを、試験環境に必要な基地局の数だけ備え、制御部が制御記憶情報部に記憶されている無線端末装置で受信された無線信号または予め計算された無線信号の位相と振幅の時間的な変動に基づいて、それぞれの位相器および送信利得制御器を制御した後に、混合器によって各信号を混合して出力するとともに、分配器が試験対象となる無線端末装置からの信号を各基地局に分配することで、複数の基地局を模擬して無線端末装置のハンドオーバに関する機能を試験することができる仮想フィールド試験環境を構築している。
【０００３】
また、特許文献２には、一つの擬似回線装置を複数の基地局と無線端末装置との通信に共有する無線システム試験装置に関する技術が開示されている。具体的には、基地局と、基地局へ信号を送信するための送信アンテナと、基地局から端末用電波暗室内の無線端末装置へ送信する信号を受信する受信アンテナとを基地局用暗室が備え、基地局と接続される無線端末装置と、無線端末装置から基地局へ送信する信号を受信する受信アンテナと、無線端末装置への信号を送信するための送信アンテナとを端末用電波暗室が備え、さらに基地局と無線端末装置間の下り回線および上り回線の一方または両方を、無線端末装置ごとまたは各無線端末装置で共有して模擬する擬似回線と、基地局の実際の設置場所を模擬した電波環境を基地局用電波暗室で再現し、無線端末装置の実際の設置場所を模擬した電波環境を端末用電波暗室内で再現し、基地局と無線端末装置の上下回線の状態について同時的な擬似回線による模擬を実現し、模擬した環境下において基地局や無線端末装置などの無線システムについての試験を行う試験手段とを備えることで、上り回線および下り回線、双方の回線状態を模擬して、無線端末装置と基地局とを同時かつ総合的に試験する仮想フィールド試験環境を構築している。
【０００４】
【特許文献１】特開平１１−１８６９７３号公報
【特許文献２】特開２０００−１８３８３１号公報
【発明の開示】
【発明が解決しようとする課題】
【０００５】
しかしながら、上記特許文献１・２では、無線端末装置のハンドオーバに関する機能を試験するために、無線端末装置の位置する地点においては無線端末装置と通信を行わない基地局のセルまたはセクタも全て模擬しなければならない。そのため、上記第１および第２の従来技術では、無線端末装置の移動させる仮想フィールド試験環境の範囲が広くなることで基地局の数が増加すると、基地局のセルまたはセクタを模擬するための回路規模、メモリ容量、およびステップ数などのデバイスのリソースが多くなり、無線端末試験装置のコストが高くなってしまうという問題があった。
【０００６】
この発明は上記に鑑みてなされたもので、仮想フィールド試験環境の範囲に影響されることなく、一定のデバイスで仮想フィールド試験環境内を移動する無線端末装置を試験することができる仮想フィールド試験環境を実現する無線端末試験装置を得ることを目的としている。
【課題を解決するための手段】
【０００７】
上記目的を達成するため、この発明にかかる無線端末試験装置は、仮想フィールド試験環境内に試験対象となる無線端末装置と通信を行う複数の基地局を模擬する無線端末試験装置において、予め定められている所定の情報基づいて、前記無線端末装置と通信を行うことができる１〜複数の基地局を検出して、この検出した１〜複数の基地局を模擬することを決定する制御部と、この制御部によって決定された１〜複数の基地局のベースバンド処理を実行するベースバンド処理部と、を備えることを特徴とする。
【０００８】
この発明によれば、試験対象となる無線端末装置は、同時に仮想フィールド試験環境内のすべての基地局と通信を行なうのではなく、無線端末装置の位置によって通信を行なう基地局が決定されることに着目して、予め定められている所定の条件と、無線端末装置の位置との関係に基づいて、無線端末装置が通信することができる基地局のみを模擬するようにしている。
【発明の効果】
【０００９】
この発明にかかる無線端末試験装置によれば、試験対象となる無線端末装置は、同時に仮想フィールド内のすべての基地局と通信を行なうのではなく、無線端末装置の位置によって通信を行なう基地局が決定されることに着目して、予め定められている所定の情報に基づいて、無線端末装置が通信することができる基地局のみを模擬するようにしているので、基地局の信号処理に必要とするデバイスのリソース容量を削減することができる。
【発明を実施するための最良の形態】
【００１０】
以下に、この発明にかかる無線端末試験装置の実施の形態を図面に基づいて詳細に説明する。なお、この実施の形態によりこの発明が限定されるものではない。
【００１１】
実施の形態１．
図１〜図３を用いてこの発明における実施の形態１を説明する。図１は、この発明における実施の形態１の無線端末試験装置１０の構成を示すブロック図である。この発明における実施の形態１の無線端末試験装置１０は、インタフェース部１０９と、試験環境制御部１０８と、ベースバンド処理制御部１０７と、ベースバンド処理部１０３と、擬似通信回路１０２とを備えている。なお、試験環境制御部１０８とベースバンド処理制御部１０７とで、特許請求の範囲でいうところの制御部を実現している。
【００１２】
インタフェース部１０９は、上位レイヤとのインタフェース機能を備えており、無線端末試験装置１０と上位レイヤとの通信制御を行う。
【００１３】
試験環境制御部１０８は、無線端末試験装置１０が模擬する仮想フィールド試験環境（以下、仮想フィールドとする）の地図情報（基地局の配置位置や、基地局が通信をカバーする通信エリア、試験対象となる無線端末装置２０の位置など）を管理して、模擬する基地局を選択するとともに、無線端末試験装置１０の各構成部分を統括的に制御する。
【００１４】
ベースバンド処理制御部１０７は、セル半径や使用するチャネル、変復調方式、チャネルコーデック方式など無線端末装置２０との送受信に必要な各種パラメータ（基地局情報）をベースバンド処理部１０３の演算器１０４〜１０６に設定するとともに、ノイズ条件や位相条件などの環境パラメータを擬似通信回路１０２に設定する。
【００１５】
ベースバンド処理部１０３は、複数（この場合は３個）の演算器１０４〜１０６を備えている。演算器１０４〜１０６は、それぞれ同じ機能を備えている。演算器１０４は、ベースバンド処理制御部１０７から設定される基地局情報に基づいて、セルの変調処理や復調処理、チャネルコーデック処理などの１つの基地局のベースバンド処理を行う。
【００１６】
擬似通信回路１０２は、ベースバンド処理制御部１０７によって設定された環境パラメータに基づいて、演算器１０４〜１０６から出力される信号の位相や振幅を調整して無線端末装置２０に出力するとともに、無線端末装置２０からの信号を演算器１０４〜１０６に出力する。
【００１７】
つぎに、図２および図３のフローチャートを参照して、この発明における無線端末試験装置１０の動作を説明する。まず、無線端末試験装置１０が模擬する仮想フィールドについて説明する。図２は、無線端末試験装置１０が模擬する仮想フィールド内の基地局２０１〜２０５と無線端末装置２０の移動の位置関係を示す概念図である。図２において、無線端末装置２０が地点２０６に位置するときには、無線端末装置２０は３つの基地局２０１，２０３，２０４と通信可能であり、無線端末装置２０が地点２０７に位置するときには、無線端末装置２０は３つの基地局２０１，２０２，２０４と通信可能であり、無線端末装置２０が地点２０８に位置するときには、無線端末装置２０は、３つの基地局２０２，２０４，２０５と通信可能である。試験環境制御部１０８は、図２に示した基地局２０１〜２０５の位置と、各基地局２０１〜２０５が通信可能な位置を地図情報として記憶しているものとする。
【００１８】
また、試験環境制御部１０８には、インタフェース部１０９を介して上位レイヤから、基地局２０１〜２０５に対応した基地局情報、および環境パラメータが予め設定されているものとする。
【００１９】
試験環境制御部１０８は、無線端末装置２０が仮想フィールド内のどの地点に位置しているかを検出する（ステップＳ１００）。ここでは、無線端末装置２０が地点２０６に位置していることを検出したとする。
【００２０】
試験環境制御部１０８は、地図情報から無線端末装置２０が位置している地点と通信可能な基地局を選択する（ステップＳ１１０）。ここでは、無線端末装置２０が地点２０６に位置しているので、基地局２０１，２０３，２０４が選択される。
【００２１】
試験環境制御部１０８は、選択した基地局に対するリソース（演算器１０４〜１０６）の割り当てを要求する要求通知をベースバンド処理制御部１０７に出力する（ステップＳ１２０）。要求通知には、リソースを割り当てる基地局を識別する情報や、それらの基地局に対応した基地局情報などが含まれている。ここでは、地点２０６において無線端末装置２０と通信可能な基地局として基地局２０１，２０３，２０４の３つの基地局が選択されているので、試験環境制御部１０８は、基地局２０１，２０３，２０４にリソースを割り当てること、基地局２０１の基地局情報と環境パラメータ、基地局２０３の基地局情報と環境パラメータ、および、基地局２０４の基地局情報と環境パラメータを含む要求通知をベースバンド処理制御部１０７に出力する。
【００２２】
ベースバンド処理制御部１０７は、要求通知に含まれている基地局情報を演算器１０４〜１０６に設定する（ステップＳ１３０）。具体的には、ベースバンド処理制御部１０７は、たとえば、演算器１０４に基地局２０１の基地局情報を設定し、演算器１０５に基地局２０３の基地局情報を設定し、演算器１０６に基地局２０４の基地局情報を設定する。これにより、演算器１０４が基地局２０１のベースバンド処理を実行し、演算器１０５が基地局２０３のベースバンド処理を実行し、演算器１０６が基地局２０４のベースバンド処理を実行して、地点２０６に位置する無線端末装置２０との通信可能な基地局２０１，２０３，２０４を模擬する。
【００２３】
ベースバンド処理制御部１０７は、要求通知に含まれている環境パラメータを擬似通信回路１０２に設定する（ステップＳ１４０）。
【００２４】
擬似通信回路１０２は、設定された環境パラメータに基づいて、演算器１０４〜１０６から入力される信号を変化させた基地局出力信号を生成する。擬似通信回路１０２は、基地局出力信号を無線端末装置２０に出力する。具体的には、基地局２０１の環境パラメータに含まれている位相条件に基づいて基地局２０１を模擬している演算器１０４から入力される信号の位相を変化させ、環境パラメータに含まれているノイズ条件に基づいて位相を変化させた信号にノイズ信号を重畳させて基地局出力信号を生成する。基地局２０３の環境パラメータに含まれている位相条件に基づいて基地局２０３を模擬している演算器１０５から入力される信号の位相を変化させ、環境パラメータに含まれているノイズ条件に基づいて位相を変化させた信号にノイズ信号を重畳させて基地局出力信号を生成する。基地局２０４の環境パラメータに含まれている位相条件に基づいて基地局２０４を模擬している演算器１０６から入力される信号の位相を変化させ、環境パラメータに含まれているノイズ条件に基づいて位相を変化させた信号にノイズ信号を重畳させて基地局出力信号を生成する。すなわち、擬似通信回路１０２は、演算器１０４〜１０６によってベースバンド処理が施された基地局からの信号から、ベースバンド処理制御部１０７によって設定された環境パラメータに基づいた電波環境の基地局信号を生成する。擬似通信回路１０２は、生成した基地局信号（この場合は、基地局２０１，２０３，２０４からの信号）を無線端末装置２０に出力するとともに、無線端末装置２０からの信号を演算器１０４〜１０６に出力する。これにより、無線端末試験装置１０は、地点２０６に位置する無線端末装置２０と通信可能な基地局２０１，２０３，２０４のセルまたはセクタを模擬して、無線端末装置２０と通信を行うことができるようになり、無線端末装置２０の試験を行うことができる。
【００２５】
以上説明したように、この実施の形態１では、試験環境制御部１０８が無線端末装置２０と通信することができる範囲の位置情報と無線端末装置２０の位置する地点との関係から、無線端末装置２０が通信することができる基地局を選択して、ベースバンド処理制御部１０７が、選択された基地局のみのベースバンド処理を演算器１０４〜１０６に割り当てて、選択された基地局のみのセルまたはセクタを模擬するようにしているので、仮想フィールド内の基地局の全て模擬する必要がなくなり、仮想フィールド試験環境の範囲に影響されることなく、一定のデバイスで仮想フィールド試験環境内を移動する無線端末装置を試験することができる。すなわち、無線端末装置２０と通信することができる基地局のセルまたはセクタのみを模擬することで、従来の無線端末試験装置と比較して、デバイスのリソースを削減して、装置のコストを下げることができる。
【００２６】
なお、無線端末試験装置によって実現される仮想フィールドにおいて無線端末装置の試験を行う場合には、外部から試験条件（設定シナリオ）が入力される。設定シナリオには、ある時刻において無線端末装置２０がどの地点に位置してどの基地局と通信を行うかという情報が含まれている。すなわち、設定シナリオには、無線端末装置２０が移動する位置情報と、その地点で通信する基地局の情報が含まれている。試験環境制御部が模擬する基地局を選択するための情報として、この設定シナリオの情報を用いるようにしてもよい。
【００２７】
実施の形態２．
図４を用いてこの発明における実施の形態２を説明する。実施の形態１では、無線端末装置が通信可能な基地局のみを模擬する動作を説明した。この実施の形態２では、無線端末装置が移動して、無線端末装置が通信可能な基地局が変更される動作について説明する。
【００２８】
この発明における実施の形態２の無線端末試験装置は、先の図１に示した実施の形態１の無線端末試験装置１０と同様のものであるので、ここではその説明を省略する。
【００２９】
図４のフローチャートを参照して、この発明における実施の形態２の無線端末試験装置１０の動作を説明する。ここでは、実施の形態１で説明したように、無線端末試験装置１０は、先の図２に示した仮想フィールドを実現し、無線端末装置２０は地点２０６に位置しているものとする。無線端末装置２０が地点２０６に位置して基地局２０１，２０３，２０４と通信が可能であることを選択して、基地局２０１，２０３，２０４を模擬する動作は、実施の形態１で説明した動作と同じであるので、ここではその説明を省略する。なお、試験環境制御部１０８は、基地局２０１，２０３，２０４を模擬していることを記憶しており、ベースバンド処理制御部１０７は、演算器１０４が基地局２０１を模擬し、演算器１０５が基地局２０３を模擬し、演算器１０６が基地局２０４を模擬していることを記憶しているものとする。
【００３０】
試験環境制御部１０８は、無線端末装置２０が仮想フィールド内のどの地点に位置しているかを、常に監視している。また、試験環境制御部１０８は、無線端末装置２０が現在通信している基地局、すなわちベースバンド処理部１０３において模擬している基地局を記憶している。試験環境制御部１０８は、地図情報から無線端末装置２０が位置している地点において通信可能な基地局を選択して、現在模擬している基地局から変更があるか否かを判定する（ステップＳ２００）。
【００３１】
ここで、無線端末装置２０が地点２０６から地点２０７に移動したとする。無線端末装置２０が地点２０６に位置するときには、無線端末装置２０は、３つの基地局２０１，２０３，２０４と通信可能であり、無線端末装置２０が地点２０７に位置するときには、無線端末装置２０は３つの基地局２０１，２０２，２０４と通信可能である。試験環境制御部１０８は、無線端末装置２０が地点２０６から地点２０７に移動したことにより、無線端末装置２０が基地局２０３と通信が不可能となって、基地局２０３の代わりに基地局２０２と通信が可能となることを検出する。
【００３２】
試験環境制御部１０８は、通信が不可能となった基地局２０３のリソースを開放するとともに、新たに通信が可能となった基地局２０２に対するリソースの割り当てを要求する要求通知をベースバンド処理制御部１０７に出力する（ステップＳ２１０）。ここでは、試験環境制御部１０８は、基地局２０３に対するリソースの開放と、基地局２０２にリソースを割り当てるための基地局２０２の基地局情報および環境パラメータとを含む要求通知をベースバンド処理制御部１０７に出力する。また、試験環境制御部１０８は、基地局２０１，２０２，２０４を模擬することを記憶する。
【００３３】
ベースバンド処理制御部１０７は、要求通知に基づいてリソースを開放するとともに、新たな基地局にリソースを割り当てる（ステップＳ２２０）。ここでは、基地局２０３に対するリソースの開放と、基地局２０２へのリソースの割り当てを要求する要求通知を受けている。ベースバンド処理制御部１０７は、リソースを割り当てた時（基地局情報を演算器１０４〜１０６に設定した時）に記憶している基地局と演算器の対応から、開放を要求された基地局を模擬している演算器を検出して、検出した演算器のベースバンド処理を停止する。無線端末装置２０が地点２０６に位置したときに、ベースバンド処理制御部１０７は、演算器１０５に基地局２０３の基地局情報を設定したので、演算器１０５のベースバンド処理を停止して、演算器１０５に基地局２０２の基地局情報を設定する。これにより、演算器１０５は、基地局２０３のベースバンド処理から基地局２０２のベースバンド処理に変更される。また、ベースバンド処理制御部１０７は、演算器１０５が基地局２０２を模擬していることを記憶する。
【００３４】
ベースバンド処理制御部１０７は、要求通知に含まれている環境パラメータを擬似通信回路１０２に設定する（ステップＳ２３０）。実施の形態１で説明したように、擬似通信回路１０２は、環境パラメータに基づいて演算器１０４〜１０６から入力されている信号を変化させて模擬するべき基地局の基地局信号を生成している。ベースバンド処理制御部１０７は、模擬するべき基地局が変更となった演算器から出力される信号を変化させる処理部分に対応させて環境パラメータを設定する。ここでは、演算器１０５が変更されているので、演算器１０５から出力される信号を変化させる処理部分に対して環境パラメータを設定する。これにより、演算器１０５から出力された信号は、基地局２０２の環境パラメータに基づいた電波環境の基地局出力信号となって無線端末装置２０に出力され、無線端末試験装置１０は、地点２０７に位置する無線端末装置２０と通信可能な基地局２０１，２０２，２０４のセルまたはセクタを模擬して、無線端末装置２０と通信を行うことができるようになり、無線端末装置２０の試験を行うことができる。
【００３５】
試験環境制御部１０８は、試験終了まで模擬するべき基地局に変更があるか否かを判定して、変更があった場合には、通信が不可能となった基地局のリソースの開放および通信が可能となった基地局へのリソースの割り当てを要求する要求通知をベースバンド処理制御部１０７に出力し、ベースバンド処理制御部１０７は、要求通知に基づいて、演算器１０４〜１０６の設定を変更する動作を繰り返す（ステップＳ２００〜Ｓ２４０）。
【００３６】
無線端末装置２０が、地点２０７から地点２０８に移動した場合には、試験環境制御部１０８が、無線端末装置２０が基地局２０１と通信が不可能となって、基地局２０１の代わりに基地局２０５と通信が可能となることを検出し、基地局２０１のリソースの開放および基地局２０５に対するリソースの割り当てを要求する要求通知をベースバンド処理制御部１０７に出力する。
【００３７】
ベースバンド処理制御部１０７は、基地局２０１を模擬している演算器１０４のベースバンド処理を停止して、演算器１０４に基地局２０５の基地局情報を設定するとともに、擬似通信回路１０２の演算器１０４から出力される信号を変化させる処理部分に対して基地局２０５の環境パラメータを設定する。これにより、演算器１０４から出力された信号は、基地局２０５の環境パラメータに基づいた電波環境の基地局出力信号となって無線端末装置２０に出力され、無線端末試験装置１０は、地点２０８に位置する無線端末装置２０と通信可能な基地局２０２，２０４，２０５を模擬して、無線端末装置２０と通信を行うことができるようになり、無線端末装置２０の試験を行うことができる。
【００３８】
以上説明したように、この実施の形態２では、試験環境制御部１０８が、移動する無線端末装置２０の位置を監視して、無線通信端末の移動によって無線端末装置２０と通信できる基地局が現在模擬している基地局から変更になったか否かを検出して、無線端末装置２０と通信を行うことができなくなった基地局を検出した場合には、検出した基地局の模擬を中止することを決定し、新たに無線端末装置２０と通信を行うことができる基地局を検出した場合には、検出した基地局を新たに模擬することを決定し、ベースバンド処理制御部１０７が、模擬を中止する基地局に対して割り当てていたリソースを開放し、新たに模擬する基地局に空いているリソースを割り当てるようにしているので、仮想フィールド試験環境の範囲に影響されることなく、一定のデバイスで仮想フィールド試験環境内を移動する無線端末装置を試験することができる。すなわち、無線端末装置２０が移動によって無線端末装置２０と通信することができる基地局が変更された場合でも、基地局を切り替えて常に無線端末装置２０と通信することができる基地局のセルまたはセクタのみを模擬することで、従来の無線端末試験装置と比較して、デバイスのリソースを削減して、装置のコストを下げることができる。
【００３９】
実施の形態３．
図５を用いてこの発明における実施の形態３を説明する。実施の形態１および実施の形態２では、仮想フィールド内の任意の位置に無線端末装置２０が位置するときに通信可能な基地局にリソースを割り当てるようにした。この実施の形態３では、通信可能な基地局の判定方法について説明する。
【００４０】
この発明における実施の形態３の無線端末試験装置は、先の図１に示した実施の形態１の無線端末試験装置１０と同様のものであるので、ここではその説明を省略する。また、模擬する基地局が決定してリソースを開放または割り当てる動作は、実施の形態１および実施の形態２で説明した動作と同様となるので、ここでは詳細な説明は省略する。
【００４１】
図５は、この発明における実施の形態３の無線端末試験装置１０が模擬する仮想フィールド内の基地局３０１０，３０２０，３０３０，３０４０と無線端末装置２０の移動の位置関係を示す概念図である。図５において、基地局３０１０はセル半径３０１２を通信エリア３０１１とし、基地局３０２０はセル半径３０２２を通信エリア３０２１とし、基地局３０３０はセル半径３０３２を通信エリア３０３１とし、基地局３０４０はセル半径３０４２を通信エリア３０４１としている。試験環境制御部１０８は、これらの基地局３０１０，３０２０，３０３０，３０４０の通信エリア３０３１，３０２１，３０３１，３０４１を地図情報として記憶しておく。
【００４２】
無線端末装置２０が地点３０６０に位置するとき、無線端末装置２０は、通信エリア３０１１，３０３１，３０４１内にある。試験環境制御部１０８は、通信エリア３０１１，３０３１，３０４１を通信エリアとする基地局３０１０，３０３０，３０４０を選択して、基地局３０１０，３０３０，３０４０にリソースを割り当てる要求通知をベースバンド処理制御部１０７に出力する。
【００４３】
ベースバンド処理制御部１０７は、要求通知に基づいて演算器１０４〜１０６に基地局３０１０，３０３０，３０４０の基地局情報を設定するとともに、擬似通信回路１０２に基地局３０１０，３０３０，３０４０の環境パラメータを設定する。これにより、無線端末試験装置１０は、基地局３０１０，３０３０，３０４０を模擬して、無線端末装置２０と通信を行うことができるようになる。
【００４４】
無線端末装置２０が地点３０６０から地点３０７０まで移動する間に、通信エリア３０３１外となる地点３０８０を通過する。無線端末装置２０が地点３０８０に位置すると、試験環境制御部１０８は、無線端末装置２０が通信エリア３０３１の外に出たことを検出して、通信エリア３０３１を有する基地局３０３０へのリソースを開放する要求通知をベースバンド処理制御部１０７に出力する。
【００４５】
ベースバンド処理制御部１０７は、要求通知に基づいて基地局３０３０を模擬している演算器のベースバンド処理を停止するとともに、擬似通信回路１０２のベースバンド処理を停止した演算器から出力された信号を変化させている処理部分の処理を停止するように設定する。たとえば、演算器１０４が基地局３０３０のベースバンド処理を行っていた場合には、演算器１０４の処理を停止する。これにより、無線端末試験装置１０は、基地局３０１０，３０４０を模擬して、無線端末装置２０と通信を行うことができるようになる。
【００４６】
さらに無線端末装置２０が地点３０７０に近づいていくと、通信エリア３０２１内に入る地点３０９０を通過する。無線端末装置２０が地点３０９０に位置すると、試験環境制御部１０８は、無線端末装置２０が通信エリア３０２１の内に入ったことを検出して、通信エリア３０２１を有する基地局３０２０へのリソースの割り当てを要求する要求通知をベースバンド処理制御部１０７に出力する。
【００４７】
ベースバンド処理制御部１０７は、要求通知に基づいてリソースを割り当てられていない演算器（ここでは、地点３０８０を無線端末装置２０が通過したときに処理を停止した演算器１０４）に基地局情報を設定するとともに、擬似通信回路１０２に環境パラメータを設定する。これにより、無線端末試験装置１０は、基地局３０１０，３０２０，３０４０を模擬して、無線端末装置２０と通信を行うことができるようになる。
【００４８】
以上説明したように、この実施の形態３では、試験環境制御部１０８が仮想フィールド内の複数の基地局のそれぞれのセル半径で示される通信エリアと無線端末装置２０の位置する地点との関係から、無線端末装置２０が通信する基地局を選択して、ベースバンド処理制御部１０７が、選択された基地局のみのベースバンド処理を演算器１０４〜１０６に割り当てて、選択された基地局のみのセルまたはセクタを模擬するようにしているので、仮想フィールド内の基地局の全て模擬する必要がなくなり、仮想フィールド試験環境の範囲に影響されることなく、一定のデバイスで仮想フィールド試験環境内を移動する無線端末装置を試験することができる。すなわち、無線端末装置２０の位置する地点を通信エリアとする基地局のみのセルまたはセクタのみを模擬することで、従来の無線端末試験装置と比較して、デバイスのリソースを削減して、装置のコストを下げることができる。
【００４９】
実施の形態４．
図６を用いてこの発明における実施の形態４を説明する。実施の形態１〜３では、地図情報に基づいて、無線端末装置と通信を行う基地局を判定した。この実施の形態４では、Ｗ−ＣＤＭＡ（Wideband-Code Division Multiple Access）方式における無線ネットワーク制御装置（ＲＮＣ：Radio Network Controller）が無線リソースの割り当て結果を、制御チャネルを使用して基地局から無線端末装置に対してセルの追加および削除の情報（制御情報）を通知することにより、無線端末装置が通信する基地局を決定していることに着目して、制御情報に基づいて模擬する基地局に対するリソースの割り当てを行うものである。
【００５０】
図６は、この発明における実施の形態４の無線端末試験装置の構成を示すブロック図である。この発明における実施の形態４の無線端末試験装置１０ａは、先の図１に示した実施の形態１の無線端末試験装置１０に、無線ネットワーク制御部１１０が追加されている。図１に示した実施の形態１の無線端末試験装置１０と同じ機能を持つ構成部分には同一符号を付し、重複する説明は省略する。
【００５１】
無線ネットワーク制御部１１０は、Ｗ−ＣＤＭＡにおける無線ネットワーク制御装置の機能を備えている。
【００５２】
つぎに、この発明における実施の形態４の無線端末試験装置１０ａの動作を説明する。なお、模擬する基地局が決定してリソースを開放または割り当てる動作は、実施の形態１および実施の形態２で説明した動作と同様となるので、ここでは詳細な説明は省略する。
【００５３】
無線端末装置２０が仮想フィールド内のどの地点に位置していても、新たに基地局と通信を行うとき（たとえば、先の図５に示したように、無線端末装置２０が地点３０８０から地点３０９０に移動して通信エリア３０２１内に入ったとき）に、無線ネットワーク制御部１１０は、通信を行うことが可能な基地局を決定して、決定した基地局のセルの追加を示す制御情報を制御チャネルに付加して、基地局のベースバンド処理部１０３を経由して無線端末装置２０に通知する。無線ネットワーク制御部１１０は、制御情報を試験環境制御部１０８にも出力する。
【００５４】
試験環境制御部１０８は、制御情報を解析して追加になったセルを通信エリアとする基地局へのリソースの割り当てを要求する要求通知をベースバンド処理制御部１０７に出力する。ベースバンド処理制御部１０７は、要求通知に基づいてリソースを割り当てる。
【００５５】
また、仮想フィールド内を無線端末装置２０が移動して、すでに通信を行っている基地局との無線リンクを解除するとき（たとえば、先の図５に示したように、無線端末装置２０が地点３０６０から地点３０８０に移動して通信エリア３０３１の外に出たとき）には、無線ネットワーク制御部１１０は、通信を停止する基地局を決定して、決定した基地局のセルの削除を示す制御情報を制御チャネルに付加して、基地局のベースバンド処理部１０３を経由して無線端末装置２０に通知する。無線ネットワーク制御部１１０は、制御情報を試験環境制御部１０８にも出力する。
【００５６】
試験環境制御部１０８は、制御情報を解析して削除されるセルを通信エリアとする基地局へのリソースの開放を要求する要求通知をベースバンド処理制御部１０７に出力する。ベースバンド処理制御部１０７は、要求通知に基づいてリソースを開放する。
【００５７】
以上説明したように、この実施の形態４では、無線ネットワーク制御部１１０が、無線リソースを割り当てた結果（セルの追加および削除の情報）を、制御チャネルを使用して基地局から無線端末装置２０に通知する際に、この情報を試験環境制御部１０８にも通知し、試験環境制御部１０８は、通知された情報に基づいて仮想フィールド内の基地局の中から模擬する基地局を選択し、ベースバンド処理制御部１０７が、選択された基地局のみのベースバンド処理を演算器１０４〜１０６に割り当てて、選択された基地局のみのセルまたはセクタを模擬するようにしているので、仮想フィールド内の基地局の全て模擬する必要がなくなり、仮想フィールド試験環境の範囲に影響されることなく、一定のデバイスで仮想フィールド試験環境内を移動する無線端末装置を試験することができる。すなわち、制御チャネルによって無線端末装置２０に通知される基地局のセルまたはセクタのみを模擬することで、従来の無線端末試験装置と比較して、デバイスのリソースを削減して、装置のコストを下げることができる。
【００５８】
なお、この実施の形態４では、無線端末試験装置１０ａ内に無線ネットワーク制御装置の機能を有する無線ネットワーク制御部１１０を備えるようにしたが、無線ネットワーク制御装置を無線端末試験装置１０ａと接続して、インタフェース部１０９を介して制御チャネル内の制御情報を入力するようにしてもよい。
【００５９】
また、実施の形態１〜４では、仮想フィールド内の無線端末装置が１台の場合を例に挙げて説明したが、仮想フィールド内の無線端末装置は複数台でもかまわない。仮想フィールド内の無線端末装置が複数台である場合には、試験環境制御部が無線端末装置に対応させてそれぞれの無線端末装置が通信を行なう基地局を管理（記憶）するようにすればよい。
【産業上の利用可能性】
【００６０】
以上のように、この発明にかかる無線端末試験装置は、無線端末装置の試験に有効であり、特に、試験形態が多様化しているＷ−ＣＤＭＡ方式の無線端末装置の試験環境の模擬に適している。
【図面の簡単な説明】
【００６１】
【図１】この発明における実施の形態１の無線端末試験装置の構成を示すブロック図である。
【図２】この発明における実施の形態１の無線端末試験装置が模擬する仮想フィールド内の基地局と無線端末装置の移動の位置関係を示す概念図である。
【図３】この発明における実施の形態１の無線端末試験装置の動作を説明するためのフローチャートである。
【図４】この発明における実施の形態２の無線端末試験装置の動作を説明するためのフローチャートである。
【図５】この発明における実施の形態３の無線端末試験装置が模擬する仮想フィールド内の基地局と無線端末装置の移動の位置関係を示す概念図である。
【図６】この発明における実施の形態４の無線端末試験装置の構成を示すブロック図である。
【符号の説明】
【００６２】
１０，１０ａ  無線端末試験装置
２０  無線端末装置
１０２  擬似通信回路
１０３  ベースバンド処理部
１０４，１０５，１０６  演算器
１０７  ベースバンド処理制御部
１０８  試験環境制御部
１０９  インタフェース部
２０１，２０２，２０３，２０４，２０５，３０１０，３０２０，３０３０，３０４０  基地局
２０６，２０７，２０８，３０６０，３０７０，３０８０，３０９０  地点
３０１１，３０２１，３０３１，３０４１  通信エリア
３０１２，３０２２，３０３２，３０４２  セル半径
【図１】
2005244460.tif 000003
【図２】
2005244460.tif 000004
【図３】
2005244460.tif 000005
【図４】
2005244460.tif 000006
【図５】
2005244460.tif 000007
【図６】
2005244460.tif 000008